(57)【特許請求の範囲】
【請求項１】
浴室床の排水口(Ｈ)周りに設置される囲枠材であって、内側に段縁部(12)を備えた環状の凸条部(11)を有し、かつ、この凸条部(11)の外側にフランジ状の薄板部(13)が形成された環状見切り材(１)と；この環状見切り材(１)の段縁部(12)上に載置装着された目皿(２)と；前記環状見切り材(１)の薄板部(13)上に載置された床シート(３)と；この床シート(３)と前記環状見切り材(１)の凸条部(11)の間に充填されたシーリング材(４)とを含んで成り、
更に前記環状見切り材(１)の凸条部(11)の上面が、少なくとも床シート(３)の上面よりも低く配置されていることを特徴とすることを特徴とする浴室床の排水構造。
【請求項２】
環状見切り材(１)の凸条部(11)と床シート(３)の間に充填されたシーリング材(４)の上面に、床シート(３)から環状見切り材(１)側に向かって下るスロープ面(41)が形成されていることを特徴とする請求項１記載の浴室床の排水構造。
【請求項３】
環状見切り材(１)の凸条部(11)の上面に環状見切り材(１)の内側に向かって下る傾斜面(11a)が形成されていることを特徴とする請求項１または２に記載の浴室床の排水構造。
【請求項４】
環状見切り材(１)の凸条部(11)の外周面に所定間隔でスペーサ用突起(14)(14)…が形成されていることを特徴とする請求項１〜３の何れか一つに記載の浴室床の排水構造。
【請求項５】
環状見切り材(１)の薄板部(13)の外周に、所定間隔で切欠状の凹部(13a)(13a)…又は複数の貫き孔(13b)(13b)…が形成されていることを特徴とする請求項１〜４の何れか一つに記載の浴室床の排水構造。
【請求項６】
浴室床の排水口(Ｈ)周りに設置される見切り材であって、上面が床シート(３)よりも低く配置される環状の凸条部(11)と；この凸条部(11)の内側に、目皿(２)を載置するために形成された段縁部(12)と；前記凸条部(11)の外側に、床シート(３)を載置するために形成されたフランジ状の薄板部(13)とを含んで成るを特徴とする浴室床用見切り材。
【請求項７】
浴室床の排水溝(Ｄ)傍に設置される枠材であって、線状の凸条部(51)を有し、かつ、この凸条部(51)の一方の長手辺に薄板部(52)が形成された線状見切り材(５)と；この線状見切り材(５)の薄板部(52)上に載置された床シート(３)と；この床シート(３)と前記線状見切り材(５)の凸条部(51)間の隙間に充填されたシーリング材(４)とを含んで成り、
更に前記線状見切り材(５)の凸条部(51)の上面が、少なくとも床シート(３)の上面よりも低く配置されていることを特徴とする浴室床の排水構造。
【請求項８】
線状見切り材(５)の凸条部(11)と床シート(３)の間に充填されたシーリング材(４)の上面に、床シート(３)から線状見切り材(５)側に向かって下るスロープ面(41)が形成されていることを特徴とする請求項７記載の浴室床の排水構造。
【請求項９】
線状見切り材(５)と排水溝(Ｄ)の間にもシーリング材(４)が塗布されて、凸条部(51)から排水溝(Ｄ)に向かって下るスロープ面(41)が形成されていることを特徴とする請求項７または８に記載の浴室床の排水構造。
【請求項１０】
浴室床の排水溝(Ｄ)傍に設置される見切り材であって、上面が床シート(３)よりも低く配置される線状の凸条部(51)と；この凸条部(51)の一方の長手辺に、床シート(３)を載置するために形成された薄板部(52)とを含んで成ることを特徴とする浴室床用見切り材。
【請求項１１】
凸条部(51)の上面部(51a)が硬質樹脂から成り、かつ、凸条部(51)の立上り部(51b)が軟質樹脂または熱可塑性エラストマーから成ることを特徴とする請求項１０記載の浴室床用見切り材。
【請求項１２】
凸条部(51)が矩形筒型の中空構造を成す一方、凸条部(51)の上面部(51a)を構成する上壁部が硬質樹脂によって形成されると共に、凸条部(51)の立上り部(51b)(51b)を構成する側壁部が、軟質樹脂または熱可塑性エラストマーによって形成されていることを特徴とする請求項１１記載の浴室床用見切り材。
【請求項１３】
凸条部(51)の立上り部(51b)(51b)が、抗菌・防カビ剤が添加された軟質樹脂または熱可塑性エラストマーによって形成されていることを特徴とする請求項１１または１２に記載の浴室床用見切り材。
【発明の詳細な説明】
【技術分野】
【０００１】
本発明は、浴室床の排水構造の改良、詳しくは、軟質樹脂から成る床シートを敷設して施工される浴室床において、床シート端部の剥がれや汚れ、傷みを防止することができ、しかも、床シートから排水部にスムーズに水が流れ落ちる浴室床の排水構造、及びその排水構造に利用する浴室床用見切り材に関するものである。
【背景技術】
【０００２】
周知のとおり、従来の浴室においては、汚れが付き難く罅割れ等も生じ難い耐久性に優れたタイル張りの床が一般的に採用されていたが、タイル張りの床は、素足で歩いたときに体温をタイルに奪われて不快な冷たさを感じたり、浴室内で転倒した際に固い床に頭や身体を打ち付けて怪我をしたりする等の問題があった。
【０００３】
そこで、最近では、上記タイル張りの床にあった使用時の快適性及び安全性の問題を回避するために、軟質樹脂製の床シートを敷設した床構造を採用するケースも増えている。ちなみに、本件出願人も、以前に排水機能を向上させた軟質樹脂製の床シートを開発し、特許出願(特願2013-139410号)を行っている。
【０００４】
しかし、上記床シートに関しては、施工時に排水孔や排水溝の境界部分まで床シートを敷設していたものの、床シートの端部が露出した状態となっていたため(特許文献１,２参照)、床シートの端部が床下地から剥がれたり、排水によって汚れたり、またブラシ等で磨いた際に傷が付いたりする等の問題が生じ易かった。
【０００５】
また、上記床シートの端部を保護する見切り枠を使用する場合でも、単純に床シートの端部に沿って見切り枠を配置すると、床シートから排水口等への水の流れ落ちが見切り枠によって阻害されて、浴室床の水捌けに悪影響を及ぼすため、排水機能に問題が生じないように見切り枠の形状を工夫する必要があった。
【先行技術文献】
【特許文献】
【０００６】
【特許文献１】特開２００８−２５２７２号公報
【特許文献２】特開２０１０−６３６４５号公報
【発明の概要】
【発明が解決しようとする課題】
【０００７】
そこで本発明は、上記の如き問題に鑑みて為されたものであり、その目的とするところは、軟質樹脂から成る床シートを敷設して施工される浴室床において、床シート端部の剥がれや汚れ、傷みを防止することができ、しかも、床シートから排水部への水の流れ落ちを阻害することもない浴室床の排水構造、及びその排水構造に利用する浴室床用見切り材を提供することにある。
【課題を解決するための手段】
【０００８】
本発明者が上記課題を解決するために採用した手段は次のとおりである。
【０００９】
即ち、本発明は、浴室床の排水口Ｈ周りに設置される囲枠材であって、内側に段縁部12を備えた環状の凸条部11を有し、かつ、この凸条部11の外側にフランジ状の薄板部13が形成された環状見切り材１と；この環状見切り材１の段縁部12上に載置装着された目皿２と；前記環状見切り材１の薄板部13上に載置された床シート３と；この床シート３と前記環状見切り材１の凸条部11の間に充填されたシーリング材４とを含んで浴室床の排水構造を構成し、
更に前記環状見切り材１の凸条部11の上面を、少なくとも床シート３の上面よりも低く配置した点に特徴がある。
【００１０】
また、床シート３から排水口Ｈへの水の流れ落ちがよりスムーズになるように、上記環状見切り材１の凸条部11と床シート３の間に充填されたシーリング材４の上面に、床シート３から環状見切り材１側に向かって下るスロープ面41を形成することもできる。また更に、同様の目的で、上記環状見切り材１の凸条部11の上面に環状見切り材１の内側に向かって下る傾斜面11aを形成することもできる。
【００１１】
また、上記環状見切り材１の凸条部11の外周面に所定間隔でスペーサ用突起14・14…を形成することによって、施工時にシーリング材４の充填スペースを容易に確保することができる。
【００１２】
そしてまた、上記環状見切り材１の薄板部13と床下地とを強固に接着するために、環状見切り材１の薄板部13の外周に所定間隔で切欠状の凹部13a・13a…が形成したり、環状見切り材１の薄板部13に複数の貫き孔13b・13b…を形成したりすることもできる。
【００１３】
そしてまた、上記浴室床の排水構造には、上面が床シート３よりも低く配置される環状の凸条部11と；この凸条部11の内側に、目皿２を載置するために形成された段縁部12と；前記凸条部11の外側に、床シート３を載置するために形成されたフランジ状の薄板部13とを含んで成る浴室床用見切り材を好適に使用できる。
【００１４】
一方、本発明では、上記構成から成る浴室床の排水構造以外にも、浴室床の排水溝Ｄ傍に設置される枠材であって、線状の凸条部51を有し、かつ、この凸条部51の一方の長手辺に薄板部52が形成された線状見切り材５と；この線状見切り材５の薄板部52上に載置された床シート３と；この床シート３と前記線状見切り材５の凸条部51間の隙間に充填されたシーリング材４とを含む構成を採用することもでき、その場合にも、前記線状見切り材５の凸条部51の上面を、少なくとも床シート３の上面よりも低く配置する。
【００１５】
また、上記線状見切り材５を用いた構成を採用する場合には、線状見切り材５の凸条部11と床シート３の間に充填されたシーリング材４の上面に、床シート３から線状見切り材５側に向かって下るスロープ面41を形成することで、排水溝Ｄへの水の流れ落ちをスムーズ化できる。また、同様の目的で、線状見切り材５と排水溝Ｄの間にもシーリング材４を塗布して、凸条部51から排水溝Ｄに向かって下るスロープ面41を形成してもよい。
【００１６】
そしてまた、上記浴室床の排水構造には、上面が床シート３よりも低く配置される線状の凸条部51と；この凸条部51の一方の長手辺に、床シート３を載置するために形成された薄板部52とを含んで成る浴室床用見切り材を好適に使用できる。
【００１７】
また更に、上記浴室用の線状見切り材５については、凸条部51の上面部51aを硬質樹脂から形成すると共に、凸条部51の立上り部51bを、軟質樹脂または熱可塑性エラストマーから形成することによって、見切り材上を走行するキャスター等に対する耐摩耗性を保持しつつ、キャスター通過時の衝撃を緩和することができる。
【００１８】
また更に、上記線状見切り材５の凸条部51を矩形筒型の中空構造として、凸条部51の上面部51aを構成する上壁部を、硬質樹脂によって形成すると共に、凸条部51の立上り部51b・51bを構成する側壁部を、軟質樹脂または熱可塑性エラストマーによって形成すれば、構造的に立上り部51b・51bが撓み易くなるため、キャスター通過時の衝撃を更に抑制することができる。
【００１９】
また、上記線状見切り材５の凸条部51の立上り部51bについては、衛生上の問題が生じないように、抗菌・防カビ剤が添加された軟質樹脂または熱可塑性エラストマーを使用するのが好ましい。
【発明の効果】
【００２０】
本発明では、軟質樹脂製の床シートが敷設される浴室床において、排水口や排水溝の周りに見切り材を使用し、更にこの見切り材と床シートの隙間にシーリング材を充填して構成したことによって、床シートの端部の露出量を格段に減らすことができるため、床下地からシート端部が剥がれたり、シート端部に汚れが付着したり、傷が付いたりする問題を解消することができる。
【００２１】
しかも、本発明では、上記見切り材に形成した凸条部の上面の高さが、床シートの上面の高さよりも低くなるように構成しているため、水勾配が設けられた床シートから見切り材側に水がスムーズに流れ落ちる。そのため、見切り材の手前で水が滞溜するようなことはなく、浴室床の水捌けが悪化する心配もない。
【００２２】
したがって、本発明により、タイル張りの床よりも使用時の快適性及び安全性に優れた軟質樹脂性の床シートを浴室床に敷設する場合でも、床シートに耐久性や衛生面の問題が生じ難いだけでなく、床シートの排水機能も阻害しない浴室床の排水構造を提供できることから、本発明の実用的利用価値は頗る高い。
【図面の簡単な説明】
【００２３】
【図１】本発明の実施例１における浴室床の排水構造を表わす平面図である。
【図２】本発明の実施例１における浴室床の排水構造を表わすＸ−Ｘ’断面図およびＹ−Ｙ’断面図である。
【図３】本発明の実施例１における環状見切り材を表わす全体斜視図である。
【図４】本発明の実施例１における浴室床の排水構造の施工手順を表わす工程説明図である。
【図５】本発明の実施例２における浴室床の排水構造を表わす平面図である。
【図６】本発明の実施例２における浴室床の排水構造を表わすＰ−Ｐ’断面図およびＱ−Ｑ'断面図である。
【図７】本発明の実施例２における環状見切り材を表わす全体斜視図である。
【図８】本発明の実施例３における浴室床の排水構造を表わす全体平面図である。
【図９】本発明の実施例３における浴室床の排水構造を表わす断面図である。
【図１０】本発明の実施例３における線状見切り材を表わす拡大斜視図である。
【図１１】本発明の実施例４における線状見切り材を表わす拡大斜視図及び断面図である。
【発明を実施するための形態】
【００２４】
『実施例１』
まず本発明の実施例１について、図１〜図４に基いて以下に説明する。なお同図において、符号１で指示するものは、環状見切り材であり、符号２で指示するものは、目皿である。また符号３で指示するものは、床シートであり、符号４で指示するものは、シーリング材である。
【００２５】
この実施例１では、浴室床の排水部を、排水口Ｈ周囲の床下地Ｆ上に固定した環状の凸条部11を有する環状見切り材１と、環状見切り材１の凸条部11内側に形成された段縁部12上に載置した目皿２と、浴室床全体の床下地Ｆ上に敷設した軟質樹脂製の床シート３と、環状見切り材１の凸条部11と床シート１の隙間に充填したシーリング材４とから構成している(図１、図２参照)。
【００２６】
また、上記環状見切り材１の凸条部11の外側には、図３に示すようにフランジ状の薄板部13を形成して、この薄板部13上に、凸条部11よりも一回り大きい円孔が設けられた床シート３を載置して接着している。そして、上記環状見切り材１と床シート３は、凸条部11の上面が少なくとも床シート３の上面よりも低くなるように配置している。
【００２７】
これにより、本実施例のような軟質樹脂製の床シート３を敷設する場合でも、排水口Ｈの周囲で床シート３の端部が露出しないため、床シート３の剥がれや端部の損傷等を防止することができる。また、床シート３上を流れ落ちてくる水滴を、滞溜させることなく環状見切り材１の凸条部11を介して排水口Ｈに排出することができる。
【００２８】
また、本実施例では、上記環状見切り材１の凸条部11と床シート３の隙間に充填されたシーリング材４の上面に、床シート３から環状見切り材１側に向かって下るスロープ面41を形成することによって、床シート３から排水口Ｈへの水の流れ落ちがよりスムーズになるようにしている。
【００２９】
また更に、本実施例では、上記同様の床シート３から排水口Ｈへの水の流れ落ちをよりスムーズにする目的で、環状見切り材１の凸条部11の上面に環状見切り材１の内側に向かって下る傾斜面11aを形成している。なお、上記シーリング材４のスロープ面41や凸条部11の傾斜面11aについては、勾配さえ付いていれば平面状でも曲面状でもよい。
【００３０】
そしてまた、本実施例では、上記環状見切り材１の薄板部13の外周に所定間隔で切欠状の凹部13a・13a…を形成している。これにより、図４(a)に示すように、施工時に接着剤Ａを薄板部13の凹部13a・13a…に入り込ませることができるため、環状見切り材１と床下地Ｆを強固に接着することができる
【００３１】
また、上記のように環状見切り材１の薄板部13に凹部13a・13a…を設けたことによって、薄板部13を小片が並んだタコ足状に形成することができるため、各小片の角度を調節して床下地Ｆの凹凸に対応させることができる。またこれによって、環状見切り材１と床下地Ｆの間に不陸が生じ難くなる。
【００３２】
また、本実施例においては、上記環状見切り材１の凸条部11の外周面に所定間隔でスペーサ用突起14・14…を形成することによって、環状見切り材１上に床シート３を載置する際、図４(b)に示すように床シート３と凸条部11間にシーリング材４の充填スペースを簡単に確保することができる。
【００３３】
そしてまた、本実施例では、上記環状見切り材１の材料に、耐衝撃性や耐候性、接着性に優れたＡＳＡ樹脂を使用し、射出成形によって低コストで作製できるようにしているが、樹脂材料には、ＡＳＡ樹脂以外のポリプロピレン樹脂(PP)、ポリエチレン樹脂(PE)等を採用することもできる。また本実施例では、上記床シート３に、入浴者が浴室内で転倒しても怪我をし難く、また素足で歩いた際に不快な冷たさも感じない軟質樹脂(軟質塩化ビニル)製のシート材を使用している。
【００３４】
『実施例２』
次に、本発明の実施例２について、図５〜図７に基いて以下に説明する。この実施例２では、薄板部13に複数の貫き孔13b・13b…が形成された環状見切り材１を使用して浴室床の排水部を構成しており、この構成を採用することによって、施工時に貫き孔13b・13b…に接着剤Ａを入り込ませることができるため、環状見切り材１と床下地材Ｆの接着強度を高めることができる。
【００３５】
『実施例３』
次に、本発明の実施例３について、図８〜図１０に基いて以下に説明する。この実施例３では、浴室床の排水部を、排水溝Ｄ傍に設置した線状の凸条部51を有する線状見切り材５と、浴室床全体の床下地Ｆ上に敷設される床シート３と、床シート３と線状見切り材５の凸条部51の隙間に充填したシーリング材４とから構成している(図８、図９参照)。
【００３６】
また、上記線状見切り材５の凸条部51の一方の長手辺には、図１０に示すように薄板部52を形成して、この線状見切り材５の薄板部52上に床シート３を載置して接着している。そしてまた、上記線状見切り材５は、凸条部51の上面が少なくとも床シート３の上面よりも低くなるように配置している。
【００３７】
そして、上記の構成を採用することによって、実施例１や実施例２と同様、床シート３の端部を剥がれや損傷から保護することが可能となる。また、水勾配によって床シート３上を流れ落ちる水滴を、線状見切り材５の手前で滞溜させずに排水溝Ｄへとスムーズに排出することができる。
【００３８】
また、本実施例では、上記排水溝Ｄへの水の流れ落ちがよりスムーズになるように、シーリング材４の上面に、床シート３から線状見切り材５側に向かって下るスロープ面41を形成すると共に、線状見切り材５と排水溝Ｄの間にもシーリング材４を塗布して、凸条部51から排水溝Ｄに向かって下るスロープ面41を形成している。
【００３９】
そしてまた、本実施例においては、上記線状見切り材５の薄板部52に、床下地Ｆとの接着強度を上げるための貫き孔52a・52a…を複数設けているが、実施例１の環状見切り材のような切欠状の凹部を設けることもできる。また本実施例では、耐衝撃性や耐候性、接着性に優れたＡＳＡ樹脂を押出成形したものを穿設加工して上記線状見切り材５を製造しているが、樹脂材料には、ＡＳＡ樹脂以外のポリ塩化ビニル樹脂(PVC)やポリプロピレン樹脂、ポリエチレン樹脂等を採用することもできる。
【００４０】
また更に、本実施例では、床シート３と線状見切り材５の凸条部51の間隔を手作業で調節しているが、施工時において、シーリング材４を充填する床シート３と線状見切り材５の凸条部51の隙間を容易に確保できるように、凸条部51に所定間隔でスペーサ用突起を設けることもできる。
【００４１】
『実施例４』
次に、本発明の実施例４について、図１１(a)及び(b)に基いて以下に説明する。この実施例４では、実施例３と同様の用途で使用される浴室用の線状見切り材５において、凸条部51の上面部51aの材料に硬質塩化ビニル樹脂を使用すると共に、凸条部51の立上り部51bの材料に軟質塩化ビニル樹脂を使用して構成している。
【００４２】
これにより、線状見切り材５上を走行するキャスター等に対しての耐摩耗性を、上記硬質樹脂から成る上面部51aによって保持できる上に、キャスターが見切り材上を通過した際に発生する衝撃を、軟質樹脂から成る立上り部51b・51bを弾性変形させることによって緩和することも可能となる。
【００４３】
また更に、本実施例では、上記線状見切り材５の凸条部51を矩形筒型の中空構造として、凸条部51の上面部51aを構成する上壁部の材料に硬質樹脂を用いると共に、凸条部51の立上り部51b・51bを構成する側壁部の材料に軟質樹脂を用いて構成しているため、立上り部51b・51bが撓んで衝撃を吸収し易い構造となっている。
【００４４】
また、線状見切り材５の材料に軟質樹脂を使用する場合、硬質樹脂のみから構成する場合よりも雑菌やカビ等の問題が発生し易くなるが、本実施例では、線状見切り材５の凸条部51の立上り部51bに、抗菌・防カビ剤が添加された軟質樹脂を使用することによって、この衛生上の問題も防止している。
【００４５】
また更に、本実施例では、線状見切り材５の凸条部51の上面部51aを外側に向かって下る傾斜面としているため、線状見切り材５を実施例３の図９と同様の状態で設置した際に、床シート３から排水溝Ｄへの水の流れ落ちがよりスムーズになる。
【００４６】
なお、本実施例では、上記凸条部51の上面部51aに硬質塩化ビニル樹脂を使用しているが、硬質樹脂であればその他の合成樹脂材料を使用することもできる。また、凸条部51の立上り部51bの材料についても、本実施例では軟質塩化ビニル樹脂を使用しているが、その他の軟質樹脂や熱可塑性エラストマーを採用することもできる。
【００４７】
そしてまた、本実施例では、上記線状見切り材５に中空構造の凸条部51を形成しているが、製造コストやキャスター通過時の衝撃抑制効果に問題がなければ、中空部を有しない中実構造の凸条部51を形成することもできる。
【００４８】
本発明は、概ね上記のように構成されるが、記載した実施例にのみ限定されるものではなく、「特許請求の範囲」の記載内において種々の変更が可能であって、例えば、環状見切り材１や環状見切り材５の材質については、防水性や耐久性に優れた材料であれば合成樹脂材料以外の金属材料を採用することもできる。
【００４９】
また、上記床シート３に関しても、軟質樹脂やゴム材料から成る床シート３だけでなくＦＲＰやタイル板等の硬質素材から成るものを使用することもできる。また、シーリング材４に関しても、シリコン系やウレタン系等の合成樹脂材料やモルタル等から自由に選択して使用することができ、何れのものも本発明の技術的範囲に属する。
【産業上の利用可能性】
【００５０】
近年、公衆浴場や介護施設等の浴場において、子どもや高齢者が転倒しても怪我をし難いプラスチック製またはゴム製の床材が求められている。そのような中で、本発明の浴室床の排水構造および浴室床用見切り材は、水捌けを悪化させずに床材の端部を保護できる有用な技術であるため、その産業上の利用価値は非常に高い。
【符号の説明】
【００５１】
１  環状見切り材
11  凸条部
11a  傾斜面
12  段縁部
13  薄板部
13a  凹部
13b  貫き孔
14  スペーサ用突起
２  目皿
３  床シート
４  シーリング材
41  スロープ面
５  線状見切り材
51  凸条部
51a  上面部
51b  立上り部
52  薄板部
52a  貫き孔
Ｆ  床下地
Ｈ  排水口
Ａ  接着剤
Ｄ  排水溝
【図１】
0005984190.tif 000002
【図２】
0005984190.tif 000003
【図３】
0005984190.tif 000004
【図４】
0005984190.tif 000005
【図５】
0005984190.tif 000006
【図６】
0005984190.tif 000007
【図７】
0005984190.tif 000008
【図８】
0005984190.tif 000009
【図９】
0005984190.tif 000010
【図１０】
0005984190.tif 000011
【図１１】
0005984190.tif 000012